(57)【要約】【課題】ＤＶＤ＋ＲＷ規格のディスク型記録媒体を用いた画像記録装置において、ＤＶＤメニューやディスクに記録された静止画像データを用いて生成された動画像データと記録画像データとの間で生じ得る不整合を防止する。【解決手段】ディスク情報取得部２５０はディスク４９に関する情報を取得し、ディスク判定部２６０はディスク４９の種別がＤＶＤ＋ＲＷでＤＶＤメニューまたはディスクに記録された静止画像データを用いて生成された動画像データが記録されている対象ディスクであるか否かを判定し、追加記録制御部２２０はディスク判定部２６０による判定結果に応じてディスク４９に対する追加記録を行う際の制御を行い、メッセージ表示制御部２７０は追加記録の可否に関するモードの移行の際の確認メッセージやＤＶＤメニューおよび前記動画像データの更新確認メッセージを表示部２８０に表示させる。【選択図】図２
2006164457.tif 000002
【特許請求の範囲】
【請求項１】
装着されているディスクについてその種別が所定の種別であって且つ所定のメニューを記録している対象ディスクであるか否かを判定するディスク判定手段と、
前記ディスク判定手段において前記装着されているディスクが前記対象ディスクであると判定された場合に追加記録に対する整合処理を実行させる追加記録制御手段と
を具備することを特徴とする画像記録装置。
【請求項２】
装着されているディスクについてその種別がＤＶＤ＋ＲＷであって且つ所定のメニューを記録している対象ディスクであるか否かを判定するディスク判定手段と、
前記ディスク判定手段において前記装着されているディスクが前記対象ディスクであると判定された場合に追加記録に対する整合処理を実行させる追加記録制御手段と
を具備することを特徴とする画像記録装置。
【請求項３】
前記ディスク判定手段は、前記装着されているディスクの記録形式がさらにＤＶＤ＋ＲＷビデオフォーマットである場合に前記対象ディスクである旨判定することを特徴とする請求項２記載の画像記録装置。
【請求項４】
前記所定のメニューは、前記装着されているディスクに記録されている動画像データの一覧を保持するＤＶＤメニューであることを特徴とする請求項２記載の画像記録装置。
【請求項５】
前記所定のメニューは、前記装着されているディスクに記録されている静止画像データを動画像として保持するフォトムービーであることを特徴とする請求項２記載の画像記録装置。
【請求項６】
前記追加記録制御手段は、前記装着されているディスクに対する追加記録がされた場合に前記整合処理として前記所定のメニューを削除させることを特徴とする請求項２記載の画像記録装置。
【請求項７】
前記追加記録制御手段は、前記装着されているディスクに対する追加記録がされ且つ当該ディスクの取出しが指示された場合に前記整合処理として前記所定のメニューを前記追加記録に基づいて更新させることを特徴とする請求項２記載の画像記録装置。
【請求項８】
所定のメッセージを表示するメッセージ表示制御手段と、
所定の操作入力を受ける操作入力受付手段と
をさらに具備し、
前記追加記録制御手段は、前記装着されているディスクに対する追加記録がされ且つ当該ディスクの取出しが指示された場合に前記整合処理として前記メッセージ表示制御手段に前記所定のメニューの更新確認を表示させ、更新する旨の確認を前記操作入力受付手段が受けた場合に前記所定のメニューを前記追加記録に基づいて更新させることを特徴とする請求項２記載の画像記録装置。
【請求項９】
装着されているディスクについてその種別がＤＶＤ＋ＲＷであって且つ所定のメニューを記録している対象ディスクであるか否かを判定するディスク判定手段と、
前記ディスク判定手段において前記装着されているディスクが前記対象ディスクであると判定された場合に前記装着されているディスクに対する追加記録を可能とすることの確認表示をさせるメッセージ表示制御手段と、
前記確認表示に対する確認入力を受ける操作入力受付手段と、
前記確認入力が前記追加記録を可能とする旨を示している場合には前記追加記録に対する整合処理を実行させる追加記録制御手段と
を具備することを特徴とする画像記録装置。
【請求項１０】
前記ディスク判定手段は、前記装着されているディスクの記録形式がさらにＤＶＤ＋ＲＷビデオフォーマットである場合に前記対象ディスクである旨判定することを特徴とする請求項９記載の画像記録装置。
【請求項１１】
前記所定のメニューは、前記装着されているディスクに記録されている動画像データの一覧を保持するＤＶＤメニューであることを特徴とする請求項９記載の画像記録装置。
【請求項１２】
前記所定のメニューは、前記装着されているディスクに記録されている静止画像データを動画像として保持するフォトムービーであることを特徴とする請求項９記載の画像記録装置。
【請求項１３】
前記追加記録制御手段は、前記整合処理として前記所定のメニューを削除させることを特徴とする請求項９記載の画像記録装置。
【請求項１４】
前記追加記録制御手段は、前記装着されているディスクに対する追加記録がされた場合に前記整合処理として前記所定のメニューを削除させることを特徴とする請求項９記載の画像記録装置。
【請求項１５】
前記追加記録制御手段は、前記装着されているディスクに対する追加記録がされ且つ当該ディスクの取出しが指示された場合に前記整合処理として前記所定のメニューを前記追加記録に基づいて更新させることを特徴とする請求項９記載の画像記録装置。
【請求項１６】
前記追加記録制御手段は、前記装着されているディスクに対する追加記録がされ且つ当該ディスクの取出しが指示された場合に前記整合処理として前記メッセージ表示制御手段に前記所定のメニューの更新確認を表示させ、更新する旨の確認を前記操作入力受付手段が受けた場合に前記所定のメニューを前記追加記録に基づいて更新させることを特徴とする請求項９記載の画像記録装置。
【請求項１７】
前記メッセージ表示制御手段は、前記確認入力が前記追加記録を可能としない旨を示している場合において電源が再投入された際に前記追加記録を可能とすることの確認表示を再度させることを特徴とする請求項９記載の画像記録装置。
【請求項１８】
前記メッセージ表示制御手段は、前記確認入力が前記追加記録を可能としない旨を示している場合において所定の撮影モード切替が行われた際に前記追加記録を可能とすることの確認表示を再度させることを特徴とする請求項９記載の画像記録装置。
【請求項１９】
前記メッセージ表示制御手段は、前記確認入力が前記追加記録を可能としない旨を示している場合において所定の撮影操作が行われた際に前記追加記録を可能とすることの確認表示を再度させることを特徴とする請求項９記載の画像記録装置。
【請求項２０】
装着されているディスクについてその種別がＤＶＤ＋ＲＷであって且つ所定のメニューを記録している対象ディスクであるか否かを判定するディスク判定手段と、
前記ディスク判定手段において前記装着されているディスクが前記対象ディスクであると判定された場合に追加記録を禁止させる追加記録制御手段と
を具備することを特徴とする画像記録装置。
【請求項２１】
前記ディスク判定手段は、前記装着されているディスクの記録形式がさらにＤＶＤ＋ＲＷビデオフォーマットである場合に前記対象ディスクである旨判定することを特徴とする請求項２０記載の画像記録装置。
【請求項２２】
装着されているディスクの種別を判定する手順と、
前記装着されているディスクが所定のメニューを記録しているかを判定する手順と、
前記装着されているディスクの種別がＤＶＤ＋ＲＷであって且つ前記所定のメニューを記録していると判定された場合に追加記録に対する整合処理を実行する手順と
を具備することを特徴とする画像記録制御方法。
【請求項２３】
装着されているディスクの種別を判定する手順と、
前記装着されているディスクが所定のメニューを記録しているかを判定する手順と、
前記装着されているディスクの種別がＤＶＤ＋ＲＷであって且つ前記所定のメニューを記録していると判定された場合に前記装着されているディスクに対する追加記録を可能とすることの確認表示を行う手順と、
前記確認表示に対する確認入力を受ける手順と、
前記確認入力が前記追加記録を可能とする旨を示している場合には前記追加記録に対する整合処理を実行する手順と
を具備することを特徴とする画像記録制御方法。
【請求項２４】
装着されているディスクの種別を判定する手順と、
前記装着されているディスクが所定のメニューを記録しているかを判定する手順と、
前記装着されているディスクの種別がＤＶＤ＋ＲＷであって且つ前記所定のメニューを記録していると判定された場合に追加記録に対する所定のメニューの整合処理を実行する手順と
をコンピュータに実行させるプログラム。
【請求項２５】
装着されているディスクの種別を判定する手順と、
前記装着されているディスクが所定のメニューを記録しているかを判定する手順と、
前記装着されているディスクの種別がＤＶＤ＋ＲＷであって且つ前記所定のメニューを記録していると判定された場合に前記装着されているディスクに対する追加記録を可能とすることの確認表示を行う手順と、
前記確認表示に対する確認入力を受ける手順と、
前記確認入力が前記追加記録を可能とする旨を示している場合には前記追加記録に対する所定のメニューの整合処理を実行する手順と
をコンピュータに実行させるプログラム。
【発明の詳細な説明】
【技術分野】
【０００１】
本発明は、画像記録装置に関し、特に記録した画像に関する所定のメニューを保持するする画像記録装置、および、画像記録制御方法ならびに当該方法をコンピュータに実行させるプログラムに関する。
【背景技術】
【０００２】
近年、ＤＶＤ（Digital Versatile Disk）などのディスク型記録媒体の普及に伴い、デジタルビデオカメラなどの携帯型の画像記録装置においても従来のテープ型記録媒体に代えてディスク型記録媒体が用いられるようになっている。このディスク型記録媒体を用いた画像記録装置では、ランダムアクセス可能というディスク型記録媒体の特性により、記録画像データの所定単位の再生や削除が容易に実現可能となっている。
【０００３】
ＤＶＤでは、記録された動画像データに対するアクセスを提供するユーザインターフェースとして、ＤＶＤメニューと呼ばれるメニュー画面が用意される。このＤＶＤメニューでは、ＤＶＤにおけるタイトルもしくはチャプターを単位として動画像データの代表画像がサムネイルとして表示される。
【０００４】
一方、動画像のみならず静止画像をも記録可能な画像記録装置では、フォトムービーと呼ばれる動画像データを保持する場合がある。このフォトムービーは、記録した静止画像を順次表示するものであり、同時に所定のバックグランドミュージックを流すこともできるようになっている。このフォトムービーは、それが存在する場合には、ＤＶＤメニューにおいて最後の動画像として表示される。
【０００５】
ところで、記録可能なＤＶＤの種別としては、同一領域について一度だけの記録を可能としたＤＶＤ−Ｒ規格や、繰り返し書き換え可能なＤＶＤ−ＲＷ規格およびＤＶＤ＋ＲＷ規格などが知られている。これら記録可能なＤＶＤでは、ファイナライズ処理を施すことによってＤＶＤメニューやフォトムービーが生成されるようになっている（例えば、特許文献１参照。）。
【特許文献１】特開２００４−２０１１７０号公報（図７）
【発明の開示】
【発明が解決しようとする課題】
【０００６】
記録可能なＤＶＤのうちＤＶＤ−Ｒ規格やＤＶＤ−ＲＷ規格においては、一旦ファイナライズ処理が施されると、その後は新たな画像データを追加記録することは不可能となる。新たに画像データを追加記録するためには、アンファイナライズ処理によってファイナライズ処理を取り消すという手順を経る必要がある。
【０００７】
ところが、ＤＶＤ＋ＲＷ規格のＤＶＤ−Ｖｉｄｅｏ形式（ＤＶＤ＋ＲＷビデオフォーマット）においては、ファイナライズ処理が施された後であっても新たな画像データを追加記録することが可能となっている。従って、既存のＤＶＤメニューやフォトムービーをそのまま残して追加記録を行うことも可能であり、その場合には、ＤＶＤメニューやフォトムービーと実際に記録されている画像データとの間で不整合が生じるおそれがある。そのため、ＤＶＤ＋ＲＷ規格において新たな画像データの追加記録を行うためには、ＤＶＤメニューやフォトムービーと画像データとの間で何らかの整合処理を行う必要がある。
【０００８】
そこで、本発明は、ＤＶＤ＋ＲＷ規格のディスク型記録媒体を用いた画像記録装置において、ＤＶＤメニューやフォトムービーと画像データとの間で生じ得る不整合を防止することを目的とする。
【課題を解決するための手段】
【０００９】
本発明は、上記課題を解決するためになされたものであり、その第１の側面は、装着されているディスクについてその種別が所定の種別であって且つ所定のメニューを記録している対象ディスクであるか否かを判定するディスク判定手段と、上記ディスク判定手段において上記装着されているディスクが上記対象ディスクであると判定された場合に追加記録に対する整合処理を実行させる追加記録制御手段とを具備することを特徴とする画像記録装置である。これにより、所定の種別のディスクにおいて所定のメニューが記録されている場合には追加記録に対する整合処理を実行させるという作用をもたらす。
【００１０】
また、本発明の第２の側面は、装着されているディスクについてその種別がＤＶＤ＋ＲＷであって且つ所定のメニューを記録している対象ディスクであるか否かを判定するディスク判定手段と、上記ディスク判定手段において上記装着されているディスクが上記対象ディスクであると判定された場合に追加記録に対する整合処理を実行させる追加記録制御手段とを具備することを特徴とする画像記録装置である。これにより、ディスクの種別がＤＶＤ＋ＲＷであって所定のメニューが記録されている場合には追加記録に対する整合処理を実行させるという作用をもたらす。
【００１１】
また、この第２の側面において、上記ディスク判定手段は、上記装着されているディスクの記録形式がさらにＤＶＤ＋ＲＷビデオフォーマットである場合に限り上記対象ディスクである旨判定するものであってもよい。これにより、特にＤＶＤ＋ＲＷビデオフォーマットである場合に追加記録に対する整合処理を実行させるという作用をもたらす。
【００１２】
また、この第２の側面において、上記所定のメニューは、上記装着されているディスクに記録されている動画像データの一覧を保持するＤＶＤメニューや上記装着されているディスクに記録されている静止画像データを動画像として保持するフォトムービーを想定することができる。これらはファイナライズの際に生成されるものであり、また、ユーザ操作により生成される場合もある。
【００１３】
また、この第２の側面における上記整合処理としては、（ａ）上記装着されているディスクに対する追加記録がされた場合に上記所定のメニューを削除させる、（ｂ）上記装着されているディスクに対する追加記録がされ且つ当該ディスクの取出しが指示された場合に上記所定のメニューを上記追加記録に基づいて更新させる、（ｃ）上記装着されているディスクに対する追加記録がされ且つ当該ディスクの取出しが指示された場合に上記所定のメニューの更新確認を行った上で上記所定のメニューを上記追加記録に基づいて更新させる等の処理を適用することができる。
【００１４】
また、本発明の第３の側面は、装着されているディスクについてその種別がＤＶＤ＋ＲＷであって且つ所定のメニューを記録している対象ディスクであるか否かを判定するディスク判定手段と、上記ディスク判定手段において上記装着されているディスクが上記対象ディスクであると判定された場合に上記装着されているディスクに対する追加記録を可能とすることの確認表示をさせるメッセージ表示制御手段と、上記確認表示に対する確認入力を受ける操作入力受付手段と、上記確認入力が上記追加記録を可能とする旨を示している場合には上記追加記録に対する整合処理を実行させる追加記録制御手段とを具備することを特徴とする画像記録装置である。これにより、ディスクの種別がＤＶＤ＋ＲＷであって所定のメニューが記録されている場合には追加記録を可能とすることの確認をした上で追加記録に対する整合処理を実行させるという作用をもたらす。
【００１５】
また、この第３の側面において、上記ディスク判定手段は、上記装着されているディスクの記録形式がさらにＤＶＤ＋ＲＷビデオフォーマットである場合に限り上記対象ディスクである旨判定するものであってもよい。これにより、特にＤＶＤ＋ＲＷビデオフォーマットである場合に追加記録に対する整合処理を実行させるという作用をもたらす。
【００１６】
また、この第３の側面において、上記所定のメニューは、上記装着されているディスクに記録されている動画像データの一覧を保持するＤＶＤメニューや上記装着されているディスクに記録されている静止画像データを動画像として保持するフォトムービーを想定することができる。これらはファイナライズの際に生成されるものであり、また、ユーザ操作により生成される場合もある。
【００１７】
また、この第３の側面における上記整合処理としては、（ａ）無条件で上記所定のメニューを削除させる、（ｂ）上記装着されているディスクに対する追加記録がされた場合に上記所定のメニューを削除させる、（ｃ）上記装着されているディスクに対する追加記録がされ且つ当該ディスクの取出しが指示された場合に上記所定のメニューを上記追加記録に基づいて更新させる、（ｄ）上記装着されているディスクに対する追加記録がされ且つ当該ディスクの取出しが指示された場合に上記所定のメニューの更新確認を行った上で上記所定のメニューを上記追加記録に基づいて更新させる等の処理を適用することができる。
【００１８】
また、この第３の側面において、上記メッセージ表示制御手段は、（１）上記確認入力が上記追加記録を可能としない旨を示している場合において電源が再投入された際、（２）上記確認入力が上記追加記録を可能としない旨を示している場合において所定の撮影モード切替が行われた際、（３）上記確認入力が上記追加記録を可能としない旨を示している場合において所定の撮影操作が行われた際の少なくとも何れかにおいて上記追加記録を可能とすることの確認表示を再度させるようにしてもよい。
【００１９】
また、本発明の第４の側面は、装着されているディスクについてその種別がＤＶＤ＋ＲＷであって且つ所定のメニューを記録している対象ディスクであるか否かを判定するディスク判定手段と、上記ディスク判定手段において上記装着されているディスクが上記対象ディスクであると判定された場合に追加記録を禁止させる追加記録制御手段とを具備することを特徴とする画像記録装置である。これにより、ディスクの種別がＤＶＤ＋ＲＷであって所定のメニューが記録されている場合には追加記録を一律禁止させるという作用をもたらす。
【００２０】
また、この第４の側面において、上記ディスク判定手段は、上記装着されているディスクの記録形式がさらにＤＶＤ＋ＲＷビデオフォーマットである場合に限り上記対象ディスクである旨判定するものであってもよい。これにより、特にＤＶＤ＋ＲＷビデオフォーマットである場合に追加記録に対する整合処理を実行させるという作用をもたらす。
【００２１】
また、本発明の第５の側面は、装着されているディスクの種別を判定する手順と、上記装着されているディスクが所定のメニューを記録しているかを判定する手順と、上記装着されているディスクの種別がＤＶＤ＋ＲＷであって且つ上記所定のメニューを記録していると判定された場合に追加記録に対する整合処理を実行する手順とを具備することを特徴とする画像記録制御方法である。これにより、ディスクの種別がＤＶＤ＋ＲＷであって所定のメニューが記録されている場合には追加記録に対する整合処理を実行させるという作用をもたらす。
【００２２】
また、本発明の第６の側面は、装着されているディスクの種別を判定する手順と、上記装着されているディスクが所定のメニューを記録しているかを判定する手順と、上記装着されているディスクの種別がＤＶＤ＋ＲＷであって且つ上記所定のメニューを記録していると判定された場合に上記装着されているディスクに対する追加記録を可能とすることの確認表示を行う手順と、上記確認表示に対する確認入力を受ける手順と、上記確認入力が上記追加記録を可能とする旨を示している場合には上記追加記録に対する整合処理を実行する手順とを具備することを特徴とする画像記録制御方法である。これにより、ディスクの種別がＤＶＤ＋ＲＷであって所定のメニューが記録されている場合には追加記録を可能とすることの確認をした上で追加記録に対する整合処理を実行させるという作用をもたらす。
【００２３】
また、本発明の第７の側面は、装着されているディスクの種別を判定する手順と、上記装着されているディスクが所定のメニューを記録しているかを判定する手順と、上記装着されているディスクの種別がＤＶＤ＋ＲＷであって且つ上記所定のメニューを記録していると判定された場合に追加記録に対する所定のメニューの整合処理を実行する手順とをコンピュータに実行させるプログラムである。これにより、ディスクの種別がＤＶＤ＋ＲＷであって所定のメニューが記録されている場合には追加記録に対する整合処理を実行させるという作用をもたらす。
【００２４】
また、本発明の第８の側面は、装着されているディスクの種別を判定する手順と、上記装着されているディスクが所定のメニューを記録しているかを判定する手順と、上記装着されているディスクの種別がＤＶＤ＋ＲＷであって且つ上記所定のメニューを記録していると判定された場合に上記装着されているディスクに対する追加記録を可能とすることの確認表示を行う手順と、上記確認表示に対する確認入力を受ける手順と、上記確認入力が上記追加記録を可能とする旨を示している場合には上記追加記録に対する所定のメニューの整合処理を実行する手順とをコンピュータに実行させるプログラムである。これにより、ディスクの種別がＤＶＤ＋ＲＷであって所定のメニューが記録されている場合には追加記録を可能とすることの確認をした上で追加記録に対する整合処理を実行させるという作用をもたらす。
【発明の効果】
【００２５】
本発明によれば、ＤＶＤ＋ＲＷ規格のディスク型記録媒体を用いた画像記録装置において、ＤＶＤメニューやフォトムービーと画像データとの間で生じ得る不整合を防止するという優れた効果を奏し得る。
【発明を実施するための最良の形態】
【００２６】
次に本発明の実施の形態について図面を参照して詳細に説明する。
【００２７】
図１は、本発明の実施の形態における画像記録装置１００の一構成例を示す図である。この画像記録装置１００は、カメラ部１０と、記録再生処理部２０と、制御部３０とを備えている。
【００２８】
カメラ部１０は、光学ブロック１１と、カメラ制御部１２と、信号変換器１３と、撮像信号処理部１４と、音声入力部１５と、音声信号処理部１６とを備える。光学ブロック１１は、内部に、被写体を撮像するためのレンズ群、絞り調整機構、フォーカス調整機構、ズーム機構、シャッター機構、フラッシュ機構、および、手ぶれ補正機構などを備える。カメラ制御部１２は、制御部３０から制御信号を受けて、光学ブロック１１に供給する制御信号を生成する。そして、生成した制御信号を光学ブロック１１に供給して、ズーム制御、シャッター制御、および、露出制御などの制御を行なう。
【００２９】
信号変換器１３は、例えばＣＣＤ（Charge Coupled Device）などの撮像素子により構成され、その結像面に、光学ブロック１１を通じた像が結像される。この信号変換器１３は、シャッター操作に応じて制御部３０から供給される画像取り込みタイミング信号を受けて、結像面に結像されている被写体像を撮像信号に変換し、撮像信号処理部１４に供給する。
【００３０】
撮像信号処理部１４は、制御部３０からの制御信号に基づいて、撮像信号についてのガンマ補正やＡＧＣ（Auto Gain Control）などの処理を行なうとともに、撮像信号をデジタル信号としての画像信号に変換する処理も行なう。音声入力部１５は、撮影時の被写体周辺の音声を収集する。この音声入力部１５からの音声信号は音声信号処理部１６に供給される。音声信号処理部１６は、制御部３０からの制御信号に基づいて、音声信号についての補正やＡＧＣなどの処理を行なうとともに、音声信号をデジタル信号に変換する処理も行なう。
【００３１】
記録再生処理部２０は、符号化／復号回路２１と、ディスクインターフェース２３と、出力処理部２４と、バッファメモリ２５とを備える。
【００３２】
符号化／復号回路２１は、カメラ部１０からの画像信号および音声信号や追加記録情報を符号化し多重化して圧縮データに変換する符号化機能を有する。一方、符号化／復号回路２１は、圧縮データから画像信号および音声信号や追加記録情報を分離して復号する復号機能を有する。また、符号化／復号回路２１は、制御部３０からの制御信号に基づき、撮像信号処理部１４からの画像信号に対して、自動ホワイトバランス制御、露出補正制御、デジタルズーム倍率に応じた拡大制御などをさらに行なう。
【００３３】
ディスクインターフェース２３は、符号化／復号回路２１から圧縮データを受けてディスク４９に書き込む。また、ディスクインターフェース２３は、ディスク４９から圧縮データを読み出して符号化／復号回路２１に供給する。出力処理部２４は、制御部３０からの制御により、符号化／復号回路２１からの圧縮データを制御部３０や出力端子２７乃至２９に供給する。バッファメモリ２５は、例えばＳＤＲＡＭなどにより構成され、符号化／復号回路２１における符号化または復号のための作業領域として利用される。
【００３４】
制御部３０は、処理装置３１と、ＲＯＭ（Read Only Memory）３３と、ＲＡＭ（Random Access Memory）３４と、操作入力部４１を接続するための操作入力インターフェース３５と、表示部４２を接続するための表示制御部３６と、メモリカード４３を装填するためのメモリカードインターフェース３７と、撮影時刻を記録するための時計回路３９とがシステムバス３２を介して接続されることにより構成される。
【００３５】
処理装置３１は制御部３０全体の処理を司るものであり、作業領域としてＲＡＭ３４を使用する。ＲＯＭ３３には、カメラ部１０を制御するためのプログラムや、画像信号や音声信号の記録制御および再生制御などを実行するためのプログラムが書き込まれている。
【００３６】
操作入力インターフェース３５に接続される操作入力部４１には、撮影モードと再生モードなどの他のモードとを切り換えるモード切り換えキー、ズーム調整キー、露出調整のためのキー、シャッターキー、動画撮影用キー、表示部４２における表示調整キーなどの複数のキーが設けられている。操作入力インターフェース３５は、操作入力部４１からの操作信号を処理装置３１に伝える。処理装置３１は、操作入力部４１においていずれのキーが操作されたかを判別し、その判別結果に応じた制御処理を行なう。
【００３７】
表示制御部３６に接続される表示部４２は、例えばＬＣＤ（Liquid Crystal Display）などにより構成され、処理装置３１の制御の下に、カメラ部１０からの画像信号や、ディスク４９から読み出された画像信号を表示する。
【００３８】
メモリカードインターフェース３７は、符号化／復号回路２１からの圧縮データをメモリカード４３に書き込む。また、メモリカードインターフェース３７は、メモリカード４３から圧縮データを読み出して符号化／復号回路２１に供給する。時計回路３９は、年、月、日、時間、分、秒などを表わす時間情報を生成する。
【００３９】
図２は、本発明の実施の形態における画像記録装置１００の機能構成例を示す図である。ここでは、画像記録装置１００における機能として、撮像部２１０と、追加記録制御部２２０と、追加記録モード保持部２３０と、ディスク制御部２４０と、ディスク情報取得部２５０と、ディスク判定部２６０と、メッセージ表示制御部２７０と、表示部２８０と、操作入力受付部２９０とが示されている。
【００４０】
撮像部２１０は被写体を撮像するものであり、例えば図１のカメラ部１０等により実現される。ディスク制御部２４０は、ディスク４９に対する書込みおよび読出しを制御するものであり、例えば図１の記録再生処理部２０により実現される。ディスク情報取得部２５０は、ディスク制御部２４０を介してディスク４９に関する情報を取得するものであり、例えば図１の処理装置３１により実現される。
【００４１】
ディスク判定部２６０は、ディスク４９が本発明の実施の形態における整合処理の対象であるか否かを判定するものであり、例えば図１の処理装置３１により実現される。このディスク判定部２６０では、ディスク４９の種別および記録形式ならびに記録状態が判定される。より具体的には、ディスク４９の種別がＤＶＤ＋ＲＷで記録形式がＤＶＤ＋ＲＷビデオフォーマットであって且つＤＶＤメニューまたはフォトムービーが記録されている場合に、そのディスク４９を本発明の実施の形態における整合処理の対象となるディスク（以下、「対象ディスク」という。）であると判定する。
【００４２】
追加記録制御部２２０は、ディスク判定部２６０による判定結果に応じてディスク４９に対する追加記録を行う際の制御を行うものであり、例えば図１の処理装置３１により実現される。すなわち、追加記録制御部２２０は、ＤＶＤメニューまたはフォトムービーとディスク４９の記録画像との間の不整合を防ぐ整合処理のために各部の制御を行う。
【００４３】
追加記録モード保持部２３０は、ディスク４９に対する追加記録の可否に関するモードを保持するものであり、例えば図１のＲＡＭ３４等により実現される。この追加記録モード保持部２３０に保持されるモードとしては、追加記録を可能とするモードと追加記録を不可能とするモードとが考えられる。何れのモードにするかは、ユーザの指示または許可の下で移行するようにしてもよく、また、自動的に移行するようにしてもよい。
【００４４】
メッセージ表示制御部２７０は、追加記録の可否に関するモードの移行の際の確認メッセージやＤＶＤメニューおよびフォトムービーの更新確認メッセージを表示部２８０に表示させるものであり、例えば図１の表示制御部３６等により実現される。表示部２８０は、メッセージ表示制御部２７０の制御の下でメッセージの表示を行うものであり、例えば図１の表示部４２により実現される。操作入力受付部２９０は、ユーザによる操作入力を受け付けるものであり、例えば図１の操作入力インターフェース３５等により実現される。
【００４５】
次に、本発明の実施の形態におけるディスク判定部２６０の判定内容について説明する。
【００４６】
図３は、各種ディスクにおけるリードイン領域の内容を示す図である。ディスクは円盤状の形状を有しており、内周側にリードイン（lead-in）領域が設けられている。このリードイン領域には内周側からアドレスが付与されており、何れのディスクにおいてもアドレスの小さい方からイニシャルゾーン、リファレンスコードゾーン、バッファゾーン、コントロールデータゾーン、バッファゾーンの順番で各領域が配置されている。
【００４７】
この中で「２Ｆ２００ｈ」（ｈはその前の数字が十六進数であることを意味する）から「２ＦＤＦＦｈ」までに配置されるコントロールデータゾーン４００には、そのディスクに関する情報が記録されている。このコントロールデータゾーン４００の配置アドレスは何れのディスクにおいても共通である。
【００４８】
図４は、コントロールデータゾーン４００の内容を示す図である。図４（ａ）を参照すると、コントロールデータゾーン４００は、２０４８バイトの物理フォーマット情報４１０と、２０４８バイトのディスク製造情報４２０と、１４×２０４８バイトのコンテンツ提供者情報４３０とを備えている。
【００４９】
図４（ｂ）を参照すると、物理フォーマット情報４１０は、ディスク種別およびバージョン番号４１１と、データサイズおよび最大転送レート４１２と、ディスク構造４１３と、記録密度４１４と、データゾーン割当て４１５と、ＢＣＡ記述子４１６と、予約領域４１７および４１８とを備えている。この中で、先頭１バイトのディスク種別およびバージョン番号４１１は、上位４ビットがディスク種別を表し、下位４ビットがバージョン番号を表すことになっている。すなわち、ディスク種別およびバージョン番号４１１の上位４ビットが「１０１０ｂ」（ｂはその前の数字が二進数であることを意味する）であればＤＶＤ＋ＲＷであり、「００００ｂ」であればＤＶＤ−ＲＯＭであり、「００１０ｂ」であればＤＶＤ−Ｒであることを表す。
【００５０】
このようにして、リードイン領域の物理フォーマット情報４１０におけるディスク種別およびバージョン番号４１１の上位４ビットを調べることにより、ディスクの種別を判定することができる。
【００５１】
図５は、ＤＶＤ−Ｖｉｄｅｏ形式（ＤＶＤ＋ＲＷビデオフォーマット）によるディスクのデータ構造を示す図である。ディスクは円盤状の形状を有しており、内周側にリードイン領域７１１が設けられ、外周側にリードアウト領域７１５が設けられる。そして、内周側から外周側に向かって順番に、ファイルシステム領域７１２と、管理情報領域７１３と、データ記録領域７１４とが設けられる。ファイルシステム領域７１２は、ファイルシステムの管理領域であり、ＩＳＯ９６６０およびＵＤＦ（Universal Disk Format）の規格に準拠するように設けられている。管理情報領域７１３は、ディスク上に記録されているビデオコンテンツ全体の管理情報を保持する領域である。データ記録領域７１４は、各ビデオタイトルセットの内容およびその制御情報を保持する領域である。なお、これら領域は、２０４８バイトの論理セクタに区分される。
【００５２】
管理情報領域７１３には、ＶＭＧ（Video ManaGer）７３０が保持される。このＶＭＧ７３０は、ＶＭＧＩ（ＶＭＧ Information）７３１と、ＶＭＧＭ＿ＶＯＢＳ（Video OBject Set for ＶＭＧ Menu）７３２と、ＶＭＧＩ＿ＢＵＰ（ＶＭＧＩ for Back UP）７３４とを備えている。ＶＭＧＩ７３１は、ディスク上に記録されているビデオコンテンツのタイトル毎の管理情報やトップメニューの制御情報などを保持する。ＶＭＧＭ＿ＶＯＢＳ７３２は、トップメニューのデータを保持する。また、ＶＭＧＩ＿ＢＵＰ７３４は、ＶＭＧＩ７３１のバックアップ用コピーである。
【００５３】
データ記録領域７１４には、ＶＴＳ（Video Titles Set）７４０が少なくとも１つ保持される。各ＶＴＳ７４０は、それぞれＶＴＳＩ（ＶＴＳ Information）７４１と、ＶＴＳＭ＿ＶＯＢＳ（Video OBject Set for ＶＴＳ Menu）７４２と、ＶＴＳＴＴ＿ＶＯＢＳ（Video Object Set for Titles in a ＶＴＳ）７４３と、ＶＴＳＩ＿ＢＵＰ（ＶＴＳＩ for Back UP）７４４とを備えている。ＶＴＳＩ７４１は、そのビデオタイトルセットに含まれるタイトルのチャプター毎の管理情報や制御情報およびチャプターメニューの制御情報などを保持する。ＶＴＳＭ＿ＶＯＢＳ７４２は、チャプターメニューのデータを保持する。ＶＴＳＴＴ＿ＶＯＢＳ７４３は、そのビデオタイトルセットに含まれるタイトルのデータを保持する。また、ＶＴＳＩ＿ＢＵＰ７４４は、ＶＴＳＩ７４１のバックアップ用コピーである。
【００５４】
従って、このようなＤＶＤ−Ｖｉｄｅｏ形式（ＤＶＤ＋ＲＷビデオフォーマット）に準拠しているか否かを調べることにより、ディスクの記録形式を判定することができる。また、ＤＶＤメニューの有無を判断するためには、ＶＭＧ７３０におけるＶＭＧＭ＿ＶＯＢＳ７３２の有無を調べればよい。さらに、フォトムービーの有無を判断するためには、最終タイトルがフォトムービーであるか否かを調べることになる。すなわち、ＶＴＳ７４０の中で最終タイトルに相当するＶＴＳＩ７４１を参照することによりフォトムービーの有無を判断することができる。
【００５５】
図６は、本発明の実施の形態におけるディスク判定部２６０の判定手順を示す流れ図である。まず、ディスクの種別が取得され（ステップＳ９０１）、その種別がＤＶＤ＋ＲＷでなければ整合処理の非対象であると判定される（ステップＳ９０２）。また、ディスクの種別がＤＶＤ＋ＲＷであった場合、その記録形式が取得される（ステップＳ９０３）。その結果、ＤＶＤ＋ＲＷビデオフォーマットに準拠していなければ、整合処理の非対象であると判定される（ステップＳ９０４）。
【００５６】
そして、記録形式ＤＶＤ＋ＲＷビデオフォーマットに準拠している場合、さらにディスクの状態が取得され（ステップＳ９０５）、ＤＶＤメニューやフォトムービーが記録されていなければ整合処理の非対象であると判定され、記録されていれば整合処理の対象であると判定される（ステップＳ９０６）。
【００５７】
次に、本発明の実施の形態における画像記録制御方法の第１の実施例について説明する。
【００５８】
図７は、本発明の実施の形態における画像記録制御方法の第１の実施例による処理手順を示す流れ図である。本発明の実施の形態におけるディスク判定部２６０では、図６で一例を説明したように、装着されているディスク４９が所定の種別（すなわち、ＤＶＤ＋ＲＷ規格）および記録形式（ＤＶＤ−Ｖｉｄｅｏ形式）であって且つ所定のメニュー（ＤＶＤメニューまたはフォトムービー）を記録している対象ディスクであるか否かが判定される（ステップＳ９１１）。ここで対象ディスクではないと判定された場合には、これ以上の処理は行われない。
【００５９】
一方、ステップＳ９１１において対象ディスクであると判定された場合には、追加記録を可能とするモードに移行する（ステップＳ９１７）。具体的には、追加記録モード保持部２３０において、追加記録を可能とするモードである旨の設定が行われる。そして、追加記録制御部２２０の制御の下、整合処理が行われる（ステップＳ９１８）。この整合処理は、以下に説明するように様々な変形例が適用可能である。
【００６０】
図８は、本発明の実施の形態における整合処理の第１の例を示す流れ図である。この整合処理の第１の例では、無条件にＤＶＤメニューおよびフォトムービーを削除することにより（ステップＳ９３５）、ＤＶＤメニューまたはフォトムービーと記録画像との不整合を防いでいる。但し、この第１の例では、追加記録の有無に関わらずＤＶＤメニューおよびフォトムービーが削除されてしまうため、場合によっては不都合を生じるおそれもある。そこで、実際に追加記録が行われるまでＤＶＤメニューおよびフォトムービーの削除を行わないようにしたのが次の第２の例である。
【００６１】
図９は、本発明の実施の形態における整合処理の第２の例を示す流れ図である。この整合処理の第２の例では、整合処理に移った後も追加記録が行われるのを待ち（ステップＳ９４１）、実際に追加記録が行われてからＤＶＤメニューおよびフォトムービーが削除される（ステップＳ９４５）。これにより、実際に追加記録が行われた場合にのみＤＶＤメニューおよびフォトムービーを削除することができる。
【００６２】
図１０は、本発明の実施の形態における整合処理の第３の例を示す流れ図である。この整合処理の第３の例では、図９の第２の例と同様に整合処理に移った後も追加記録が行われるのを待ち（ステップＳ９５１）、さらに追加記録が行われた場合でもその追加記録が行われたディスクが取り出されるまで（イジェクトされるまで）処理が行われない（ステップＳ９５２）。そして、追加記録が行われた後にそのディスクが取り出されると、ＤＶＤメニューおよびフォトムービーがその追加記録の内容と合致するように更新される（ステップＳ９５５）。
【００６３】
図１１は、本発明の実施の形態における整合処理の第４の例を示す流れ図である。この整合処理の第４の例では、図１０の第３の例と同様に追加記録が行われた後であってもディスクが取り出されるまでは処理が行われない（ステップＳ９６１、Ｓ９６２）。そして、追加記録が行われた後にそのディスクが取り出されると、ＤＶＤメニューおよびフォトムービーを更新することの可否を確認するメッセージがメッセージ表示制御部２７０によって表示部２８０に表示される（ステップＳ９６３）。ユーザによる確認内容が操作入力受付部２９０によって受け付けられ、その確認内容が「更新する」旨を示していればＤＶＤメニューおよびフォトムービーが追加記録の内容と合致するように更新される（ステップＳ９６５）。一方、確認内容が「更新しない」旨を示していれば更新は行われない。この場合、ユーザは後日、メニュー操作等を通じてＤＶＤメニューおよびフォトムービーを更新することになる。さもなければ、ＤＶＤメニューおよびフォトムービーと記録画像との間に不整合が生じてしまう。
【００６４】
次に、本発明の実施の形態における画像記録制御方法の第２の実施例について説明する。
【００６５】
図１２は、本発明の実施の形態における画像記録制御方法の第２の実施例による表示画面の遷移例を示す流れ図である。図７により説明した第１の実施例では対象ディスクであれば無条件に追加記録可能モードに移行するようになっていたが、この第２の実施例では追加記録可能モードへの移行の可否をユーザに確認する点で異なる。
【００６６】
すなわち、対象ディスクであることが確認されると、追加記録可能モードへの移行の可否を確認するメッセージ画面８１０が表示される。ここで追加記録可能モードへの移行が確認されれば、再度確認メッセージ画面８２０が表示された後で、追加記録可能モードへの移行中を示す画面８４０が表示され、完了を示す画面８５０が表示される。追加記録可能モードへ移行した後は、そのままスタンバイ状態を示す画面８６０または録画操作がされた場合には記録中であることを示す画面８７０が表示される。
【００６７】
一方、確認画面８１０または８２０において追加記録可能モードへの移行が拒否された場合、追加記録を禁止する旨を示す画面８３０が表示される。この場合であっても、一旦電源が切断されて再度電源が投入されたときには、再び追加記録可能モードへの移行の可否を確認するメッセージ画面８１０が表示される。また、動画撮影モード、静止画撮影モード、外部入力モード、ディスク撮影モードまたはメモリ撮影モードなどの撮影モードを切り替える指示が操作入力受付部２９０によって受け付けられたときにも、再び追加記録可能モードへの移行の可否を確認するメッセージ画面８１０が表示される。さらに、動画記録開始ボタン、静止画撮影ボタンまたは外部入力画像録画ボタンが押下されたことが操作入力受付部２９０によって受け付けられたときにも、再び追加記録可能モードへの移行の可否を確認するメッセージ画面８１０が表示される。
【００６８】
図１３は、本発明の実施の形態における画像記録制御方法の第２の実施例による処理手順を示す流れ図である。本発明の実施の形態におけるディスク判定部２６０では、図６で一例を説明したように、装着されているディスク４９が所定の種別（すなわち、ＤＶＤ＋ＲＷ規格）および記録形式（ＤＶＤ−Ｖｉｄｅｏ形式）であって且つ所定のメニュー（ＤＶＤメニューまたはフォトムービー）を記録している対象ディスクであるか否かが判定される（ステップＳ９２１）。ここで対象ディスクではないと判定された場合には、これ以上の処理は行われない。
【００６９】
これに対し、ステップＳ９２１において対象ディスクであると判定された場合には、追加記録を可能とするモードに移行するか否かの確認メッセージがメッセージ表示制御部２７０によって表示部２８０に表示される（ステップＳ９２２）。ユーザによる確認内容が操作入力受付部２９０によって受け付けられ（ステップＳ９２３）、その確認内容が「移行する」旨を示していれば追加記録を可能とするモードに移行する（ステップＳ９２７）。具体的には、追加記録モード保持部２３０において、追加記録を可能とするモードである旨の設定が行われる。そして、追加記録制御部２２０の制御の下、整合処理が行われる（ステップＳ９２８）。この整合処理は、図７のステップＳ９１８と同様であり、図８乃至１１により説明したように様々な変形例が適用可能である。
【００７０】
一方、ステップＳ９２３においてユーザによる確認内容が「移行しない」旨を示していれば追加記録は禁止される。但し、この場合であっても、一旦電源が切断されて再度電源が投入されたときには（ステップＳ９２４）、再び追加記録可能モードへの移行の可否を確認するメッセージが表示される（ステップＳ９２２）。また、動画撮影モード、静止画撮影モード、外部入力モード、ディスク撮影モードまたはメモリ撮影モードなどの撮影モードを切り替える指示が操作入力受付部２９０によって受け付けられたときにも（ステップＳ９２５）、再び追加記録可能モードへの移行の可否を確認するメッセージが表示される（ステップＳ９２２）。さらに、動画記録開始ボタン、静止画撮影ボタンまたは外部入力画像録画ボタンが押下されたことが操作入力受付部２９０によって受け付けられたときにも（ステップＳ９２６）、再び追加記録可能モードへの移行の可否を確認するメッセージが表示される（ステップＳ９２２）。
【００７１】
このように、この第２の実施例によれば、第１の実施例のように無条件にＤＶＤメニューおよびフォトムービーを削除するのではなく、追加記録可能モードに移行することの可否をユーザに確認した上で整合処理を行うため、ユーザにとって予期せぬ削除が行われることを未然に防ぐことができる。
【００７２】
なお、本発明の実施の形態では、ＤＶＤメニューおよびフォトムービーを削除または更新することにより記録画像との不整合を防止しているが、本発明はこれに限られず、他の方法により不整合を防止してもよい。例えば、対象ディスクについては追加記録を一律に禁止するというシンプル操作モードを設けることによって不整合を防止することが可能である。すなわち、図１４に示すように、ＤＶＤメニューまたはフォトムービーが記録されている場合には常に記録禁止状態である旨を表示しておいて、録画ボタンが押下された場合には記録が禁止されている旨を表示することが考えられる。この場合、ユーザが手動でＤＶＤメニューおよびフォトムービーを削除することにより、追加記録が可能な状態となる。
【００７３】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【００７４】
すなわち、請求項１、２または２０において、ディスク判定手段は例えばディスク判定部２６０に対応する。また、追加記録制御手段は例えば追加記録制御部２２０に対応する。
【００７５】
また、請求項８において、メッセージ表示制御手段は例えばメッセージ表示制御部２７０に対応する。また、操作入力受付手段は例えば操作入力受付部２９０に対応する。
【００７６】
また、請求項９において、ディスク判定手段は例えばディスク判定部２６０に対応する。また、追加記録制御手段は例えば追加記録制御部２２０に対応する。また、メッセージ表示制御手段は例えばメッセージ表示制御部２７０に対応する。また、操作入力受付手段は例えば操作入力受付部２９０に対応する。
【００７７】
また、請求項９において、ディスク判定手段は例えばディスク判定部２６０に対応する。また、追加記録制御手段は例えば追加記録制御部２２０に対応する。
【００７８】
また、請求項２２または２４において、装着されているディスクの種別を判定する手順は例えばステップＳ９０２に対応する。また、装着されているディスクが所定のメニューを記録しているかを判定する手順は例えばステップＳ９０６に対応する。また、装着されているディスクの種別がＤＶＤ＋ＲＷであって且つ所定のメニューを記録していると判定された場合に追加記録に対する整合処理を実行する手順は例えばステップＳ９１８に対応する。
【００７９】
また、請求項２３または２５において、装着されているディスクの種別を判定する手順は例えばステップＳ９０２に対応する。また、装着されているディスクが所定のメニューを記録しているかを判定する手順は例えばステップＳ９０６に対応する。また、装着されているディスクの種別がＤＶＤ＋ＲＷであって且つ所定のメニューを記録していると判定された場合に装着されているディスクに対する追加記録を可能とすることの確認表示を行う手順は例えばステップＳ９２２に対応する。また、確認表示に対する確認入力を受ける手順は例えばステップＳ９２３に対応する。また、確認入力が追加記録を可能とする旨を示している場合には追加記録に対する整合処理を実行する手順は例えばステップＳ９２８に対応する。
【００８０】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【産業上の利用可能性】
【００８１】
本発明の活用例として、例えばＤＶＤ＋ＲＷ規格のディスク型記録媒体を用いた画像記録装置においてＤＶＤメニューまたはフォトムービーの作成後に追加記録を行う際に本発明を適用することができる。
【図面の簡単な説明】
【００８２】
【図１】本発明の実施の形態における画像記録装置１００の一構成例を示す図である。
【図２】本発明の実施の形態における画像記録装置１００の機能構成例を示す図である。
【図３】各種ディスクにおけるリードイン領域の内容を示す図である。
【図４】コントロールデータゾーン４００の内容を示す図である。
【図５】ＤＶＤ−Ｖｉｄｅｏ形式によるディスクのデータ構造を示す図である。
【図６】本発明の実施の形態におけるディスク判定部２６０の判定手順を示す流れ図である。
【図７】本発明の実施の形態における画像記録制御方法の第１の実施例による処理手順を示す流れ図である。
【図８】本発明の実施の形態における整合処理の第１の例を示す流れ図である。
【図９】本発明の実施の形態における整合処理の第２の例を示す流れ図である。
【図１０】本発明の実施の形態における整合処理の第３の例を示す流れ図である。
【図１１】本発明の実施の形態における整合処理の第４の例を示す流れ図である。
【図１２】本発明の実施の形態における画像記録制御方法の第２の実施例による表示画面の遷移例を示す図である。
【図１３】本発明の実施の形態における画像記録制御方法の第２の実施例による処理手順を示す流れ図である。
【図１４】本発明の実施の形態における他の実施例による表示画面例を示す図である。
【符号の説明】
【００８３】
１０  カメラ部
１１  光学ブロック
１２  カメラ制御部
１３  信号変換器
１４  撮像信号処理部
１５  音声入力部
１６  音声信号処理部
２０  記録再生処理部
２１  符号化／復号回路
２３  ディスクインターフェース
２４  出力処理部
２５  バッファメモリ
３０  制御部
３１  処理装置
３２  システムバス
３３  ＲＯＭ
３４  ＲＡＭ
３５  操作入力インターフェース
３６  表示制御部
３７  メモリカードインターフェース
３９  時計回路
４１  操作入力部
４２  表示部
４３  メモリカード
４９  ディスク
１００  画像記録装置
２１０  撮像部
２２０  追加記録制御部
２３０  追加記録モード保持部
２４０  ディスク制御部
２５０  ディスク情報取得部
２６０  ディスク判定部
２７０  メッセージ表示制御部
２８０  表示部
２９０  操作入力受付部
【図１】
2006164457.tif 000003
【図２】
2006164457.tif 000004
【図３】
2006164457.tif 000005
【図４】
2006164457.tif 000006
【図５】
2006164457.tif 000007
【図６】
2006164457.tif 000008
【図７】
2006164457.tif 000009
【図８】
2006164457.tif 000010
【図９】
2006164457.tif 000011
【図１０】
2006164457.tif 000012
【図１１】
2006164457.tif 000013
【図１２】
2006164457.tif 000014
【図１３】
2006164457.tif 000015
【図１４】
2006164457.tif 000016
【手続補正書】
【提出日】平成18年1月25日(2006.1.25)
【手続補正１】
【補正対象書類名】特許請求の範囲
【補正対象項目名】全文
【補正方法】変更
【補正の内容】
【特許請求の範囲】
【請求項１】
装着されているディスクについてその種別が所定の種別であって且つ所定のメニューを記録している対象ディスクであるか否かを判定するディスク判定手段と、
前記ディスク判定手段において前記装着されているディスクが前記対象ディスクであると判定された場合に追加記録に対する整合処理を実行させる追加記録制御手段と
を具備することを特徴とする画像記録装置。
【請求項２】
装着されているディスクについてその種別がＤＶＤ＋ＲＷであって且つ所定のメニューを記録している対象ディスクであるか否かを判定するディスク判定手段と、
前記ディスク判定手段において前記装着されているディスクが前記対象ディスクであると判定された場合に追加記録に対する整合処理を実行させる追加記録制御手段と
を具備することを特徴とする画像記録装置。
【請求項３】
前記ディスク判定手段は、前記装着されているディスクの記録形式がさらにＤＶＤ＋ＲＷビデオレコーディングフォーマットである場合に前記対象ディスクである旨判定することを特徴とする請求項２記載の画像記録装置。
【請求項４】
前記所定のメニューは、前記装着されているディスクに記録されている動画像データの一覧を保持するＤＶＤメニューであることを特徴とする請求項２記載の画像記録装置。
【請求項５】
前記所定のメニューは、前記装着されているディスクに記録されている静止画像データを用いて作成された動画像データであることを特徴とする請求項２記載の画像記録装置。
【請求項６】
前記追加記録制御手段は、前記装着されているディスクに対する追加記録がされた場合に前記整合処理として前記所定のメニューを削除させることを特徴とする請求項２記載の画像記録装置。
【請求項７】
前記追加記録制御手段は、前記装着されているディスクに対する追加記録がされ且つ当該ディスクの取出しが指示された場合に前記整合処理として前記所定のメニューを前記追加記録に基づいて更新させることを特徴とする請求項２記載の画像記録装置。
【請求項８】
所定のメッセージを表示するメッセージ表示制御手段と、
所定の操作入力を受ける操作入力受付手段と
をさらに具備し、
前記追加記録制御手段は、前記装着されているディスクに対する追加記録がされ且つ当該ディスクの取出しが指示された場合に前記整合処理として前記メッセージ表示制御手段に前記所定のメニューの更新確認を表示させ、更新する旨の確認を前記操作入力受付手段が受けた場合に前記所定のメニューを前記追加記録に基づいて更新させることを特徴とする請求項２記載の画像記録装置。
【請求項９】
装着されているディスクについてその種別がＤＶＤ＋ＲＷであって且つ所定のメニューを記録している対象ディスクであるか否かを判定するディスク判定手段と、
前記ディスク判定手段において前記装着されているディスクが前記対象ディスクであると判定された場合に前記装着されているディスクに対する追加記録を可能とすることの確認表示をさせるメッセージ表示制御手段と、
前記確認表示に対する確認入力を受ける操作入力受付手段と、
前記確認入力が前記追加記録を可能とする旨を示している場合には前記追加記録に対する整合処理を実行させる追加記録制御手段と
を具備することを特徴とする画像記録装置。
【請求項１０】
前記ディスク判定手段は、前記装着されているディスクの記録形式がさらにＤＶＤ＋ＲＷビデオレコーディングフォーマットである場合に前記対象ディスクである旨判定することを特徴とする請求項９記載の画像記録装置。
【請求項１１】
前記所定のメニューは、前記装着されているディスクに記録されている動画像データの一覧を保持するＤＶＤメニューであることを特徴とする請求項９記載の画像記録装置。
【請求項１２】
前記所定のメニューは、前記装着されているディスクに記録されている静止画像データを用いて作成された動画像データであることを特徴とする請求項９記載の画像記録装置。
【請求項１３】
前記追加記録制御手段は、前記整合処理として前記所定のメニューを削除させることを特徴とする請求項９記載の画像記録装置。
【請求項１４】
前記追加記録制御手段は、前記装着されているディスクに対する追加記録がされた場合に前記整合処理として前記所定のメニューを削除させることを特徴とする請求項９記載の画像記録装置。
【請求項１５】
前記追加記録制御手段は、前記装着されているディスクに対する追加記録がされ且つ当該ディスクの取出しが指示された場合に前記整合処理として前記所定のメニューを前記追加記録に基づいて更新させることを特徴とする請求項９記載の画像記録装置。
【請求項１６】
前記追加記録制御手段は、前記装着されているディスクに対する追加記録がされ且つ当該ディスクの取出しが指示された場合に前記整合処理として前記メッセージ表示制御手段に前記所定のメニューの更新確認を表示させ、更新する旨の確認を前記操作入力受付手段が受けた場合に前記所定のメニューを前記追加記録に基づいて更新させることを特徴とする請求項９記載の画像記録装置。
【請求項１７】
前記メッセージ表示制御手段は、前記確認入力が前記追加記録を可能としない旨を示している場合において電源が再投入された際に前記追加記録を可能とすることの確認表示を再度させることを特徴とする請求項９記載の画像記録装置。
【請求項１８】
前記メッセージ表示制御手段は、前記確認入力が前記追加記録を可能としない旨を示している場合において所定の撮影モード切替が行われた際に前記追加記録を可能とすることの確認表示を再度させることを特徴とする請求項９記載の画像記録装置。
【請求項１９】
前記メッセージ表示制御手段は、前記確認入力が前記追加記録を可能としない旨を示している場合において所定の撮影操作が行われた際に前記追加記録を可能とすることの確認表示を再度させることを特徴とする請求項９記載の画像記録装置。
【請求項２０】
装着されているディスクについてその種別がＤＶＤ＋ＲＷであって且つ所定のメニューを記録している対象ディスクであるか否かを判定するディスク判定手段と、
前記ディスク判定手段において前記装着されているディスクが前記対象ディスクであると判定された場合に追加記録を禁止させる追加記録制御手段と
を具備することを特徴とする画像記録装置。
【請求項２１】
前記ディスク判定手段は、前記装着されているディスクの記録形式がさらにＤＶＤ＋ＲＷビデオレコーディングフォーマットである場合に前記対象ディスクである旨判定することを特徴とする請求項２０記載の画像記録装置。
【請求項２２】
装着されているディスクの種別を判定する手順と、
前記装着されているディスクが所定のメニューを記録しているかを判定する手順と、
前記装着されているディスクの種別がＤＶＤ＋ＲＷであって且つ前記所定のメニューを記録していると判定された場合に追加記録に対する整合処理を実行する手順と
を具備することを特徴とする画像記録制御方法。
【請求項２３】
装着されているディスクの種別を判定する手順と、
前記装着されているディスクが所定のメニューを記録しているかを判定する手順と、
前記装着されているディスクの種別がＤＶＤ＋ＲＷであって且つ前記所定のメニューを記録していると判定された場合に前記装着されているディスクに対する追加記録を可能とすることの確認表示を行う手順と、
前記確認表示に対する確認入力を受ける手順と、
前記確認入力が前記追加記録を可能とする旨を示している場合には前記追加記録に対する整合処理を実行する手順と
を具備することを特徴とする画像記録制御方法。
【請求項２４】
装着されているディスクの種別を判定する手順と、
前記装着されているディスクが所定のメニューを記録しているかを判定する手順と、
前記装着されているディスクの種別がＤＶＤ＋ＲＷであって且つ前記所定のメニューを記録していると判定された場合に追加記録に対する所定のメニューの整合処理を実行する手順と
をコンピュータに実行させるプログラム。
【請求項２５】
装着されているディスクの種別を判定する手順と、
前記装着されているディスクが所定のメニューを記録しているかを判定する手順と、
前記装着されているディスクの種別がＤＶＤ＋ＲＷであって且つ前記所定のメニューを記録していると判定された場合に前記装着されているディスクに対する追加記録を可能とすることの確認表示を行う手順と、
前記確認表示に対する確認入力を受ける手順と、
前記確認入力が前記追加記録を可能とする旨を示している場合には前記追加記録に対する所定のメニューの整合処理を実行する手順と
をコンピュータに実行させるプログラム。
【手続補正２】
【補正対象書類名】明細書
【補正対象項目名】０００３
【補正方法】変更
【補正の内容】
【０００３】
ＤＶＤでは、記録された動画像データに対するアクセスを提供するユーザインターフェースとして、ＤＶＤメニューと呼ばれるメニュー画面が用意される。このＤＶＤメニューでは、ＤＶＤにおけるタイトルもしくはチャプターを単位として動画像データの代表画像がサムネイル画像として表示される。
【手続補正３】
【補正対象書類名】明細書
【補正対象項目名】０００７
【補正方法】変更
【補正の内容】
【０００７】
ところが、ＤＶＤ＋ＲＷ規格のビデオレコーディング形式（ＤＶＤ＋ＲＷビデオレコーディングフォーマット）においては、ファイナライズ処理が施された後であっても新たな画像データを追加記録することが可能となっている。従って、既存のＤＶＤメニューやフォトムービーをそのまま残して追加記録を行うことも可能であり、その場合には、ＤＶＤメニューやフォトムービーと実際に記録されている画像データとの間で不整合が生じるおそれがある。そのため、ＤＶＤ＋ＲＷ規格において新たな画像データの追加記録を行うためには、ＤＶＤメニューやフォトムービーと画像データとの間で何らかの整合処理を行う必要がある。
【手続補正４】
【補正対象書類名】明細書
【補正対象項目名】００１１
【補正方法】変更
【補正の内容】
【００１１】
また、この第２の側面において、上記ディスク判定手段は、上記装着されているディスクの記録形式がさらにＤＶＤ＋ＲＷビデオレコーディングフォーマットである場合に限り上記対象ディスクである旨判定するものであってもよい。これにより、特にＤＶＤ＋ＲＷビデオレコーディングフォーマットである場合に追加記録に対する整合処理を実行させるという作用をもたらす。
【手続補正５】
【補正対象書類名】明細書
【補正対象項目名】００１５
【補正方法】変更
【補正の内容】
【００１５】
また、この第３の側面において、上記ディスク判定手段は、上記装着されているディスクの記録形式がさらにＤＶＤ＋ＲＷビデオレコーディングフォーマットである場合に限り上記対象ディスクである旨判定するものであってもよい。これにより、特にＤＶＤ＋ＲＷビデオレコーディングフォーマットである場合に追加記録に対する整合処理を実行させるという作用をもたらす。
【手続補正６】
【補正対象書類名】明細書
【補正対象項目名】００２０
【補正方法】変更
【補正の内容】
【００２０】
また、この第４の側面において、上記ディスク判定手段は、上記装着されているディスクの記録形式がさらにＤＶＤ＋ＲＷビデオレコーディングフォーマットである場合に限り上記対象ディスクである旨判定するものであってもよい。これにより、特にＤＶＤ＋ＲＷビデオレコーディングフォーマットである場合に追加記録に対する整合処理を実行させるという作用をもたらす。
【手続補正７】
【補正対象書類名】明細書
【補正対象項目名】００２５
【補正方法】変更
【補正の内容】
【００２５】
本発明によれば、ＤＶＤ＋ＲＷ規格のディスク型記録媒体を用いた画像記録装置において、ＤＶＤメニューやディスクに記録された静止画像データを用いて生成された動画像データと画像データとの間で生じ得る不整合を防止するという優れた効果を奏し得る。
【手続補正８】
【補正対象書類名】明細書
【補正対象項目名】００３２
【補正方法】変更
【補正の内容】
【００３２】
符号化／復号回路２１は、カメラ部１０からの画像信号および音声信号や追加記録情報を符号化し多重化して圧縮データに変換する符号化機能を有する。また、符号化／復号回路２１は、圧縮データから画像信号および音声信号や追加記録情報を分離して復号する復号機能を有する。さらに、符号化／復号回路２１は、制御部３０からの制御信号に基づき、撮像信号処理部１４からの画像信号に対して、自動ホワイトバランス制御、露出補正制御、デジタルズーム倍率に応じた拡大制御などを行う。
【手続補正９】
【補正対象書類名】明細書
【補正対象項目名】００４１
【補正方法】変更
【補正の内容】
【００４１】
ディスク判定部２６０は、ディスク４９が本発明の実施の形態における整合処理の対象であるか否かを判定するものであり、例えば図１の処理装置３１により実現される。このディスク判定部２６０では、ディスク４９の種別および記録形式ならびに記録状態が判定される。より具体的には、ディスク４９の種別がＤＶＤ＋ＲＷで記録形式がＤＶＤ＋ＲＷビデオレコーディングフォーマットであって且つＤＶＤメニューまたはフォトムービーが記録されている場合に、そのディスク４９を本発明の実施の形態における整合処理の対象となるディスク（以下、「対象ディスク」という。）であると判定する。
【手続補正１０】
【補正対象書類名】明細書
【補正対象項目名】００５１
【補正方法】変更
【補正の内容】
【００５１】
図５は、ＤＶＤ−Ｖｉｄｅｏ形式（ＤＶＤ＋ＲＷビデオレコーディングフォーマット）によるディスクのデータ構造を示す図である。ディスクは円盤状の形状を有しており、内周側にリードイン領域７１１が設けられ、外周側にリードアウト領域７１５が設けられる。そして、内周側から外周側に向かって順番に、ファイルシステム領域７１２と、管理情報領域７１３と、データ記録領域７１４とが設けられる。ファイルシステム領域７１２は、ファイルシステムの管理領域であり、ＩＳＯ９６６０およびＵＤＦ（Universal Disk Format）の規格に準拠するように設けられている。管理情報領域７１３は、ディスク上に記録されているビデオコンテンツ全体の管理情報を保持する領域である。データ記録領域７１４は、各ビデオタイトルセットの内容およびその制御情報を保持する領域である。なお、これら領域は、２０４８バイトの論理セクタに区分される。
【手続補正１１】
【補正対象書類名】明細書
【補正対象項目名】００５４
【補正方法】変更
【補正の内容】
【００５４】
従って、このようなＤＶＤ−Ｖｉｄｅｏ形式（ＤＶＤ＋ＲＷビデオレコーディングフォーマット）に準拠しているか否かを調べることにより、ディスクの記録形式を判定することができる。また、ＤＶＤメニューの有無を判断するためには、ＶＭＧ７３０におけるＶＭＧＭ＿ＶＯＢＳ７３２の有無を調べればよい。さらに、フォトムービーの有無を判断するためには、最終タイトルがフォトムービーであるか否かを調べることになる。すなわち、ＶＴＳ７４０の中で最終タイトルに相当するＶＴＳＩ７４１を参照することによりフォトムービーの有無を判断することができる。
【手続補正１２】
【補正対象書類名】明細書
【補正対象項目名】００５５
【補正方法】変更
【補正の内容】
【００５５】
図６は、本発明の実施の形態におけるディスク判定部２６０の判定手順を示す流れ図である。まず、ディスクの種別が取得され（ステップＳ９０１）、その種別がＤＶＤ＋ＲＷでなければ整合処理の非対象であると判定される（ステップＳ９０２）。また、ディスクの種別がＤＶＤ＋ＲＷであった場合、その記録形式が取得される（ステップＳ９０３）。その結果、ＤＶＤ＋ＲＷビデオレコーディングフォーマットに準拠していなければ、整合処理の非対象であると判定される（ステップＳ９０４）。
【手続補正１３】
【補正対象書類名】明細書
【補正対象項目名】００５６
【補正方法】変更
【補正の内容】
【００５６】
そして、記録形式ＤＶＤ＋ＲＷビデオレコーディングフォーマットに準拠している場合、さらにディスクの状態が取得され（ステップＳ９０５）、ＤＶＤメニューやフォトムービーが記録されていなければ整合処理の非対象であると判定され、記録されていれば整合処理の対象であると判定される（ステップＳ９０６）。
【手続補正１４】
【補正対象書類名】明細書
【補正対象項目名】００８１
【補正方法】変更
【補正の内容】
【００８１】
本発明の活用例として、例えばＤＶＤ＋ＲＷ規格のディスク型記録媒体を用いた画像記録装置においてＤＶＤメニューまたはディスクに記録された静止画像データを用いて生成された動画像データの作成後に追加記録を行う際に本発明を適用することができる。